(57)【要約】【課題】録画予約されている総録画時間を、ロータリートレイに載置されている録画可能な複数の光ディスク全体の総空き容量を考慮して録画モードを設定することができるディスクチェンジャ−式の光ディスク装置を提供する。【解決手段】ロータリートレイが閉じられると、各光ディスクからディスク管理情報が読み出され、複数の光ディスク全体に対する総空き容量が算出される。或るテレビ番組が録画予約されると、録画予約の総録画時間が算出され、総録画時間と総空き容量の値に対する録画可能時間とを比較して録画モードが設定される。録画予約による録画指示がされると、最初の光ディスクに対して番組の録画を行わせ、ディスク容量がフルになったときに、次の光ディスクへの番組の録画を行わせる。そして、ディスク容量がフルになったときに、更に次の光ディスクへの番組の録画を行わせる。録画予約分の録画が終了すると、本処理は終える。【選択図】図４
2007294019.tif 000002
【特許請求の範囲】
【請求項１】
複数の光ディスクを載置できるロータリートレイを有し、このロータリートレイを回転させて記録／再生位置に設定された光ディスクに対して情報の記録／再生を行うディスクチェンジャ−式の光ディスク装置において、
ロータリートレイが閉じられる度に、前記ロータリートレイを回転させて各光ディスクを記録／再生位置に設定して、各光ディスクから読み出したディスク管理情報により、複数の光ディスク全体に対する総空き容量を算出して総空き容量の値をメモリに格納する総空き容量算出手段と、
録画予約の登録がされる度に、録画予約の総録画時間を算出する総録画時間算出手段と、
前記算出された総録画時間と前記メモリに格納された総空き容量の値に対する録画可能時間とを比較して、この比較結果に基いて録画モードを設定する録画モード設定手段と、
録画予約による録画指示がされたとき、最初の光ディスクへの情報の記録を行わせる第１の記録制御手段と、
前記最初の光ディスクに情報が記録されてディスク容量がフルになったときに、次の光ディスクへの情報の記録を行わせる第２の記録制御手段と、
前記次の光ディスクに情報が記録されてディスク容量がフルになったときに、更に次の光ディスクへの情報の記録を行わせる第３の記録制御手段と、
前記録画予約分の録画が終了したときに、録画を停止させる停止制御手段と、を有するシステムコントローラを備えたことを特徴とするディスクチェンジャ−式の光ディスク装置。
【請求項２】
複数の光ディスクを載置できるロータリートレイを有し、このロータリートレイを回転させて記録／再生位置に設定された光ディスクに対して情報の記録／再生を行うディスクチェンジャ−式の光ディスク装置において、
ロータリートレイが閉じられ度に、複数の光ディスク全体に対する総空き容量を算出し、録画予約の登録がされる度に、録画予約の総録画時間を算出し、前記総録画時間と前記総空き容量の値に対する録画可能時間とに基いて録画モードを設定し、録画予約による録画指示がされたとき、順次、光ディスクへの情報の記録を行わせ、録画予約分の録画が終了したときに、録画を停止させる制御を行うシステムコントローラを備えたことを特徴とするディスクチェンジャ−式の光ディスク装置。
【請求項３】
前記システムコントローラは、ロータリートレイが閉じられる度に、前記ロータリートレイを回転させて各光ディスクを記録／再生位置に設定して、各光ディスクから読み出したディスク管理情報により、複数の光ディスク全体に対する総空き容量を算出して総空き容量の値をメモリに格納する総空き容量算出手段と、録画予約の登録がされる度に、録画予約の総録画時間を算出する総録画時間算出手段と、前記算出された総録画時間と前記メモリに格納された総空き容量の値に対する録画可能時間とを比較して、この比較結果に基いて録画モードを設定する録画モード設定手段と、録画予約による録画指示がされたとき、最初の光ディスクへの情報の記録を行わせる第１の記録制御手段と、前記最初の光ディスクに情報が記録されてディスク容量がフルになったときに、次の光ディスクへの情報の記録を行わせる第２の記録制御手段と、前記次の光ディスクに情報が記録されてディスク容量がフルになったときに、更に次の光ディスクへの情報の記録を行わせる第３の記録制御手段と、前記録画予約分の録画が終了したときに、録画を停止させる停止制御手段と、を有することを特徴とする請求項２に記載のディスクチェンジャ−式の光ディスク装置。
【発明の詳細な説明】
【技術分野】
【０００１】
本発明は、複数の光ディスクを載置できるロータリートレイを有し、このロータリートレイを回転させて記録／再生位置に設定された光ディスクに対して情報の記録／再生を行うディスクチェンジャ−式の光ディスク装置に関する。
【背景技術】
【０００２】
近年、ＤＶＤ（デジタル・バーサタイル・ディスク）などの光ディスクに対してテレビ番組などの情報を記録したり、光ディスクに記録された情報を再生したりする光ディスク装置が普及している。また、光ディスク装置として、複数の光ディスクを載置でき、記録／再生の対象の光ディスクを交換することが可能なチェンジャー部を有し、このチェンジャー部に載置され、指定された光ディスクに対して情報の記録／再生を行う、所謂ディスクチェンジャー式の光ディスク装置も知られている。
【０００３】
ところで、ディスクチェンジャー式の光ディスク装置として、特許文献１に記載されている記録装置が知られている。この記録装置は、ディスクを複数個格納することが可能なディスク格納部と、このディスク格納部からディスクを選択するチェンジャー制御部と、前記ディスク格納部に格納されたディスクの何れかに少なくとも映像データを含むデータを記録させるディスクドライブとを有するチェンジャー部を備えている。また、この記録装置は、個別情報管理部、ディスク選択制御部、入力部、および出力部を備えている。個別情報管理部は、前記ディスク格納部に格納された各ディスクについてデータ記録可能な空き領域の大きさ（空き容量）を示す空き領域情報を含む個別情報を管理している。ディスク選択制御部は、入力部を介してユーザからの指示を受け取り、個別情報管理部により管理された各ディスクの個別情報を参照して、チェンジャー制御部に対して、前記ディスクドライブに格納してデータ記録を行うディスクの選択を制御する。
【特許文献１】特開平１１−３５３７７８号公報
【特許文献２】特開２０００−２１７０６３号公報
【発明の開示】
【発明が解決しようとする課題】
【０００４】
ここで、この記録装置においてテレビ番組の録画予約を行う際のディスクの選択動作の一例について説明する。先ず、ディスク選択制御部は、録画の記録時間とビットレートを設定する。次に、ディスク選択制御部は、個別情報管理部に管理されたマガジン毎の個別情報を参照して、記録可能なマガジン（記録可能なディスクが載置されたマガジン）の一覧を出力部に表示させる。そして、ディスク選択制御部は、入力部を介して、記録を行うマガジン（記録対象のディスクが載置されたマガジン）を指定する指示をユーザにより操作された入力部から受け取る。次に、ディスク選択制御部は、前記指定されたマガジンにおいて、このマガジンの個別情報に含まれた各ディスクの空き領域情報を参照して、データ記録に必要な領域を有するディスクを、記録対象ディスクとして選択する。
【０００５】
しかしながら、この記録装置のような従来のディスクチェンジャー式の光ディスク装置では、光ディスクに情報を記録するに際して、記録するために必要な空き容量のサイズの大きさを求め、複数の光ディスクの中から記録可能な光ディスクを選択しているが、長時間のテレビ番組を録画する場合に、複数の光ディスクの中から記録可能な１枚の光ディスクを選択しても、空き容量が足りない場合には対処することができないと言う課題が生じる。また、長時間のテレビ番組を録画する場合に、複数の光ディスクに渡って記録するように設定したとしても、ユーザにより設定された録画モードによっては、その番組が全部録画できなくなり、その番組の後ろが録画しきれない状態になると言う課題が生じる。
【０００６】
なお、特許文献２の従来技術は、録画予約時の総ビットレートが記憶装置の処理能力を超える場合、録画予約の各コンテンツのビットレートの総和を記憶装置の処理能力以下のビットレートにするものであるが、複数の光ディスクに対して情報の記録／再生を行うディスクチェンジャ−式の光ディスク装置に関するものではない。
【０００７】
本発明は、上記のような課題を解決するためになされたもので、録画予約されている総録画時間を、ロータリートレイに載置されている録画可能な複数の光ディスク全体の総空き容量を考慮して録画モードを設定することができるディスクチェンジャ−式の光ディスク装置を提供することを目的とする。
【課題を解決するための手段】
【０００８】
上記目的を達成するために、請求項１の発明は、複数の光ディスクを載置できるロータリートレイを有し、このロータリートレイを回転させて記録／再生位置に設定された光ディスクに対して情報の記録／再生を行うディスクチェンジャ−式の光ディスク装置において、ロータリートレイが閉じられる度に、前記ロータリートレイを回転させて各光ディスクを記録／再生位置に設定して、各光ディスクから読み出したディスク管理情報により、複数の光ディスク全体に対する総空き容量を算出して総空き容量の値をメモリに格納する総空き容量算出手段と、録画予約の登録がされる度に、録画予約の総録画時間を算出する総録画時間算出手段と前記算出された総録画時間と前記メモリに格納された総空き容量の値に対する録画可能時間とを比較して、この比較結果に基いて録画モードを設定する録画モード設定手段と、録画予約による録画指示がされたとき、最初の光ディスクへの情報の記録を行わせる第１の記録制御手段と、前記最初の光ディスクに情報が記録されてディスク容量がフルになったときに、次の光ディスクへの情報の記録を行わせる第２の記録制御手段と、前記次の光ディスクに情報が記録されてディスク容量がフルになったときに、更に次の光ディスクへの情報の記録を行わせる第３の記録制御手段と、前記録画予約分の録画が終了したときに、録画を停止させる停止制御手段と、を有するシステムコントローラを備えたことを特徴とするディスクチェンジャ−式の光ディスク装置を提供する。
【０００９】
この構成において、先ず、ロータリートレイに複数の光ディスクが載置され、ロータリートレイが閉じられると、総空き容量算出手段は、ロータリートレイを回転させて各光ディスクを記録／再生位置に設定して、各光ディスクからディスク管理情報を読み出し、複数の光ディスク全体に対する総空き容量を算出して総空き容量の値をメモリに格納する。ここで、或るテレビ番組が録画予約されると、総録画時間算出手段は、録画予約の総録画時間を算出する。録画モード設定手段は、前記算出された総録画時間と、メモリに格納された総空き容量の値に対する録画可能時間とを比較して、この比較結果に基いて録画モードを設定する。この録画モードは、録画予約された番組が、複数の光ディスクの空き容量の範囲内で全部録画できるような画質の録画モードに設定される。
【００１０】
このようにして録画モードが設定された後、録画予約の録画開始時刻になって録画指示がされると、第１の記録制御手段は、最初の光ディスクに対して番組の録画を行わせる。そして、前記最初の光ディスクに番組が録画されてディスク容量がフルになったときに、第２の記録制御手段は、次の光ディスクへの番組の録画を行わせる。そして、前記次の光ディスクに番組が録画されてディスク容量がフルになったときに、第３の記録制御手段は、更に次の光ディスクへの番組の録画を行わせる。以下同様にして、次の光ディスクに対して、番組が録画され、録画予約分の録画が終了すると、本処理は終える。
【００１１】
この構成によれば、録画予約されている総録画時間を、ロータリートレイに載置されている録画可能な複数の光ディスク全体の総空き容量を考慮して録画モードを設定することができるので、長時間のテレビ番組を録画する場合でも、複数の光ディスクに連続して録画を行うことができる。したがって、録画モードによっては、録画予約の番組の後ろが録画しきれない状態になることを回避でき、ユーザは、光ディスクの空き容量（ディスク残量）によって、録画モードを考慮して設定する必要がなくなり、録画モードの設定操作の煩わしさがなくなる。
【００１２】
請求項２の発明は、複数の光ディスクを載置できるロータリートレイを有し、このロータリートレイを回転させて記録／再生位置に設定された光ディスクに対して情報の記録／再生を行うディスクチェンジャ−式の光ディスク装置において、ロータリートレイが閉じられ度に、複数の光ディスク全体に対する総空き容量を算出し、録画予約の登録がされる度に、録画予約の総録画時間を算出し、前記総録画時間と前記総空き容量の値に対する録画可能時間とに基いて録画モードを設定し、録画予約による録画指示がされたとき、順次、光ディスクへの情報の記録を行わせ、録画予約分の録画が終了したときに、録画を停止させる制御を行うシステムコントローラを備えたことを特徴とするディスクチェンジャ−式の光ディスク装置を提供する。
【００１３】
この構成において、先ず、ロータリートレイに複数の光ディスクが載置され、ロータリートレイが閉じられると、システムコントローラは、ロータリートレイを回転させて各光ディスクを記録／再生位置に設定して、各光ディスクからディスク管理情報を読み出し、複数の光ディスク全体に対する総空き容量を算出する。ここで、或るテレビ番組が録画予約されると、システムコントローラは、録画予約の総録画時間を算出し、前記算出された総録画時間と前記総空き容量の値に対する録画可能時間とを比較して、この比較結果に基いて録画モードを設定する。この録画モードは、録画予約された番組が、複数の光ディスクの空き容量の範囲内で全部録画できるような画質の録画モードに設定される。
【００１４】
このようにして録画モードが設定された後、録画予約の録画開始時刻になって録画指示がされると、システムコントローラは、順次、光ディスクへの録画を行わせ、録画予約分の録画が終了したときに、録画を停止させ、本処理を終える。
【００１５】
この構成によれば、録画予約されている総録画時間を、ロータリートレイに載置されている録画可能な複数の光ディスク全体の総空き容量を考慮して録画モードを設定することができるので、長時間のテレビ番組を録画する場合でも、複数の光ディスクに連続して録画を行うことができる。したがって、録画モードによっては、録画予約の番組の後ろが録画しきれない状態になることを回避でき、ユーザは、光ディスクの空き容量（ディスク残量）によって、録画モードを考慮して設定する必要がなくなり、録画モードの設定操作の煩わしさがなくなる。
【００１６】
請求項３の発明では、請求項２の発明において、前記システムコントローラは、ロータリートレイが閉じられる度に、前記ロータリートレイを回転させて各光ディスクを記録／再生位置に設定して、各光ディスクから読み出したディスク管理情報により、複数の光ディスク全体に対する総空き容量を算出して総空き容量の値をメモリに格納する総空き容量算出手段と、録画予約の登録がされる度に、録画予約の総録画時間を算出する総録画時間算出手段と、前記算出された総録画時間と前記メモリに格納された総空き容量の値に対する録画可能時間とを比較して、この比較結果に基いて録画モードを設定する録画モード設定手段と、録画予約による録画指示がされたとき、最初の光ディスクへの情報の記録を行わせる第１の記録制御手段と、前記最初の光ディスクに情報が記録されてディスク容量がフルになったときに、次の光ディスクへの情報の記録を行わせる第２の記録制御手段と、前記次の光ディスクに情報が記録されてディスク容量がフルになったときに、更に次の光ディスクへの情報の記録を行わせる第３の記録制御手段と、前記録画予約分の録画が終了したときに、録画を停止させる停止制御手段と、を有する。
【００１７】
したがって、前記システムコントローラは、総空き容量算出処理、総録画時間算出処理、録画モード設定処理、第１の記録制御処理、第２の記録制御処理、第３の記録制御処理、および停止制御処理を実現でき、これにより、録画予約されている総録画時間を、ロータリートレイに載置されている録画可能な複数の光ディスク全体の総空き容量を考慮して録画モードを設定することが可能になり、また、長時間のテレビ番組を録画する場合でも、複数の光ディスクに連続して録画を行うことが可能になる。
【発明の効果】
【００１８】
以上のように本発明によれば、複数の光ディスクを載置できるロータリートレイを有し、このロータリートレイを回転させて記録／再生位置に設定された光ディスクに対して情報の記録／再生を行うディスクチェンジャ−式の光ディスク装置において、ロータリートレイが閉じられる度に、前記ロータリートレイを回転させて各光ディスクを記録／再生位置に設定して、各光ディスクから読み出したディスク管理情報により、複数の光ディスク全体に対する総空き容量を算出して総空き容量の値をメモリに格納する総空き容量算出手段と、録画予約の登録がされる度に、録画予約の総録画時間を算出する総録画時間算出手段と前記算出された総録画時間と前記メモリに格納された総空き容量の値に対する録画可能時間とを比較して、この比較結果に基いて録画モードを設定する録画モード設定手段と、録画予約による録画指示がされたとき、最初の光ディスクへの情報の記録を行わせる第１の記録制御手段と、前記最初の光ディスクに情報が記録されてディスク容量がフルになったときに、次の光ディスクへの情報の記録を行わせる第２の記録制御手段と、前記次の光ディスクに情報が記録されてディスク容量がフルになったときに、更に次の光ディスクへの情報の記録を行わせる第３の記録制御手段と、前記録画予約分の録画が終了したときに、録画を停止させる停止制御手段と、を有するシステムコントローラを備えたので、録画予約されている総録画時間を、ロータリートレイに載置されている録画可能な複数の光ディスク全体の総空き容量を考慮して録画モードを設定することができ、また、長時間のテレビ番組を録画する場合でも、複数の光ディスクに連続して録画を行うことができる。したがって、録画モードによっては、録画予約の番組の後ろが録画しきれない状態になることを回避でき、ユーザは、光ディスクの空き容量（ディスク残量）によって、録画モードを考慮して設定する必要がなくなり、録画モードの設定操作の煩わしさがなくなる。
【００１９】
また、本発明によれば、複数の光ディスクを載置できるロータリートレイを有し、このロータリートレイを回転させて記録／再生位置に設定された光ディスクに対して情報の記録／再生を行うディスクチェンジャ−式の光ディスク装置において、ロータリートレイが閉じられ度に、複数の光ディスク全体に対する総空き容量を算出し、録画予約の登録がされる度に、録画予約の総録画時間を算出し、前記総録画時間と前記総空き容量の値に対する録画可能時間とに基いて録画モードを設定し、録画予約による録画指示がされたとき、最初の光ディスクへの情報の記録を行わせ、前記最初の光ディスクに情報が記録されてディスク容量がフルになったときに、次の光ディスクへの情報の記録を行わせ、前記次の光ディスクに情報が記録されてディスク容量がフルになったときに、更に次の光ディスクへの情報の記録を行わせて、録画予約分の録画が終了したときに、録画を停止させる制御を行うシステムコントローラを備えたので、録画予約されている総録画時間を、ロータリートレイに載置されている録画可能な複数の光ディスク全体の総空き容量を考慮して録画モードを設定することができ、また、長時間のテレビ番組を録画する場合でも、複数の光ディスクに連続して録画を行うことができる。したがって、録画モードによっては、録画予約の番組の後ろが録画しきれない状態になることを回避でき、ユーザは、光ディスクの空き容量（ディスク残量）によって、録画モードを考慮して設定する必要がなくなり、録画モードの設定操作の煩わしさがなくなる。
【発明を実施するための最良の形態】
【００２０】
以下、添付図面を参照しつつ、本発明の実施の形態について説明する。図１は本発明の一実施形態に係るディスクチェンジャ−式の光ディスク装置の構成を示すブロック図である。
【００２１】
このディスクチェンジャ−式の光ディスク装置１は、ＤＶＤなどの光ディスク３に対して情報の記録／再生を行う光ディスク記録再生部２と、図示しないアンテナからのテレビ放送信号を受信し、所望のチャンネルのテレビ放送信号を選択して映像音声信号として出力するチューナ４と、光ディスク記録再生部２またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２２】
なお、ディスクチェンジャー式の光ディスク装置１は、複数の光ディスクを載置できるロータリートレイを有し、このロータリートレイを回転させて記録／再生位置に設定された各光ディスクに対して情報の記録／再生を行うディスクチェンジャー付きのＤＶＤレコーダである。
【００２３】
システムコントローラ１０は、本実施形態の特徴として、ロータリートレイが閉じられる度に、前記ロータリートレイを回転させて各光ディスクを記録／再生位置に設定して、各光ディスクから読み出したディスク管理情報により、複数の光ディスク全体に対する総空き容量を算出して総空き容量の値をフラッシュＲＯＭ６に格納する総空き容量算出手段と、録画予約の登録がされる度に、録画予約の総録画時間を算出する総録画時間算出手段と、前記算出された総録画時間とフラッシュＲＯＭ６に格納された総空き容量の値に対する録画可能時間とを比較して、この比較結果に基いて録画モードを設定する録画モード設定手段と、録画予約による録画指示がされたとき、最初の光ディスクへの情報の記録を行わせる第１の記録制御手段と、前記最初の光ディスクに情報が記録されてディスク容量がフルになったときに、次の光ディスクへの情報の記録を行わせる第２の記録制御手段と、前記次の光ディスクに情報が記録されてディスク容量がフルになったときに、更に次の光ディスクへの情報の記録を行わせる第３の記録制御手段と、前記録画予約分の録画が終了したときに、録画を停止させる停止制御手段と、を有する。
【００２４】
図２は本実施形態のディスクチェンジャー式の光ディスク装置における光ディスク記録再生部に備えられるディスクドライブ部の構成を示すブロック図である。このディスクドライブ部は、円周方向に例えば５個の光ディスクを載置できるディスク載置部を有するロータリートレイ３０と、このロータリートレイ３０のディスク載置部に載置された光ディスクが記録／再生位置にある光ディスク３を、モータ軸２９を介して回転させるスピンドルモータ２８と、光ディスク３の記録面に対してレーザ光を光学レンズ２５ａを介して照射すると共に、光ディスク３の記録面からの反射光を光学レンズ２５ａを介して受光することにより、光ディスク３への情報の書き込み／読み出しを光学的に行う光ピックアップ２５と、この光ピックアップ２５が固定され光ピックアップ２５を光ディスク３の半径方向に移動させるためのスレッド２６と、このスレッド２６を駆動させるためのステッピングモータ２７とを備えている。
【００２５】
また、このディスクドライブ部は、記録再生アンプ２０、光ディスク信号処理回路２１、ＡＴＡＰＩ処理回路２２、光ピックアップ制御回路２３、およびマイコン２４を備えている。これらの構成要素の詳細については、次の動作説明で述べる。特に、光ディスク信号処理回路２１は、ロータリートレイ３０のディスク載置部に載置され設定された光ディスクに対して信号処理を行うことができる機能も有している。
【００２６】
先ず、サーボ制御について説明する。光ディスク３はスピンドルモータ２８によって回転制御される一方、ステッピングモータ２７の制御により、スレッド２６が移動し、これに伴って光ピックアップ２５が移動することで、光ディスク３上の書き込み位置もしくは読み出し位置がほぼ決定される。更に、光ピックアップ２５内部の制御機能により細やかな位置制御が行われる。記録時および再生時には、光ディスク３からの反射光が、光学レンズ２５ａを通じて入射され、光ピックアップ２５で読み取られて電気信号に変換され、この電気信号は、記録再生アンプ２０で増幅された後、光ピップアップ制御回路２３に入力され、この光ピックアップ制御回路２３からの制御信号に従ってステッピングモータ２７に対してフィードバック制御をかけるようになっている。
【００２７】
次に、記録／再生時の動作について説明する。記録時は、チューナ４（図１参照）からの映像音声信号が図示しない信号処理回路で所定処理されて入出力端子１９に入力された記録情報（ＭＰＥＧストリーム）は、ＡＴＡＰＩ処理回路２２で処理された後、光ディスク信号処理回路２１で記録信号に変換される。そして、その記録信号は、記録再生アンプ２０を介して光ピックアップ２５に入力され、これにより、レーザ光が光学レンズ２５ａを通じて光ディスク３の記録面に照射され、光ディスク３に記録情報が記録される。
【００２８】
再生時は、光ディスク３からの反射光が、光学レンズ２５ａで受光した光ピックアップ２５で読み取られて電気信号に変換された後、その電気信号は記録再生アンプ２０で増幅される。そして、増幅された電気信号は、光ディスク信号処理回路２１でＭＰＥＧストリームに戻され、このＭＰＥＧストリームは、ＡＴＡＰＩ処理回路２２を介して入出力端子１９から出力されてデコーダ５に供給される。マイコン２４は、ＡＴＡＰＩ処理回路２２、光ディスク信号処理回路２１、および光ピックアップ制御回路２３を制御する。
【００２９】
図３は本実施形態においてディスクチェンジャートレイの簡略化した平面図である。図３において、トレイ３１の上側には、光ディスクが載置されて設定される５個のディスク載置部３０１〜３０５が円周方向に一定間隔を置いて配置されたカルーセル型のロータリートレイ３０が配設されている。トレイ３１は、装置本体の前面に対して前後方向に移動し、それに伴って、ロータリートレイ３０も前後方向に移動する。ロータリートレイ３０の下側には、光ピックアップ２５が図示しないチャッキング機構によって上下移動可能に配設されている。
【００３０】
図４は本実施形態において複数の光ディスクへの録画処理を説明するためのフローチャートである。このフローチャートおよび図１〜図３を参照して複数の光ディスクへの録画処理について説明する。
【００３１】
先ず、ロータリートレイ３０においてディスク載置部３０１〜３０５に５枚の光ディスク（ＤＶＤ）が載置できるように、ユーザがリモコン１１のトレイ開閉キーを操作して、ロータリートレイ３０上のディスク載置部３０１〜３０５のうち２つのディスク載置部が装置前面に出るようにトレイ３１を前面方向に移動させ、ロータリートレイ３０を少しずつ回転させて、ディスク載置部３０１〜３０５に５枚の光ディスクを載置する。そして、５枚の光ディスクのディスク載置部３０１〜３０５への載置が完了すると、再びリモコン１１のトレイ開閉キーを操作することにより、トレイ３１が装置内部に入ると、システムコントローラ１０は、ロータリートレイ３０が閉じられたことを検知する（ステップＳ１）。
【００３２】
そして、システムコントローラ１０の総空き容量算出手段は、ロータリートレイ３０が閉じられたときに、ロータリートレイ３０を回転させて各光ディスクを記録／再生位置に設定して、各光ディスクから順次にディスク管理情報を読み出し、複数の光ディスク全体に対する総空き容量を算出して総空き容量の値をフラッシュＲＯＭ（メモリ）６に格納する（ステップＳ２〜Ｓ５）。
【００３３】
即ち、システムコントローラ１０の総空き容量算出手段は、光ディスク記録再生部２を制御して、図示しないトレイモータを駆動させることにより、ロータリートレイ３０を回転させて、先ずディスク載置部３０１，３０２，３０３，３０４，３０５にそれぞれ載置されている各光ディスクを記録／再生位置にそれぞれ設定して、全ディスク管理情報の読み出しを行う（ステップＳ２〜Ｓ３）。そして、全ディスク管理情報の読み出しが完了すると、総空き容量算出手段は、全光ディスクに対する総空き容量を全ディスク管理情報により算出し（ステップＳ４）、この算出した総空き容量の値をフラッシュＲＯＭ（メモリ）６に格納する（ステップＳ５）。
【００３４】
ここで、リモコン１１の操作により、或るテレビ番組が録画予約されると、システムコントローラ１０は、録画予約されたことを検知し（ステップＳ６）、システムコントローラ１０の総録画時間算出手段は、録画予約の総録画時間を算出する（ステップＳ７）。システムコントローラ１０の録画モード設定手段は、前記算出された総録画時間と、フラッシュＲＯＭ６に格納された総空き容量の値に対する録画可能時間とを比較して（ステップＳ８）、この比較結果に基いて録画モード（ビットレート）を設定する（ステップＳ９）。この録画モードは、録画予約された番組が、５枚の光ディスクの空き容量の範囲内で全部録画できるような画質の録画モードに設定される。
【００３５】
例えば、録画予約の番組の録画時間（放送時間）が１０時間であり、録画モードを最も高画質（高ビットレート）の録画モードＸＰに設定すると、５枚の光ディスクが未記録であって、総空き容量に録画できる録画時間が５時間であると、この番組は、５枚の光ディスクに全部録画できない。したがって、録画モードを録画モードＸＰよりも画質（ビットレート）が低い標準的な録画モードＳＰに設定すると、５枚の光ディスクに番組の全部を録画することができるので、録画モードが録画モードＳＰに設定される。なお、録画モードＳＰよりも画質（ビットレート）が低い録画モードＬＰや、更に画質（ビットレート）が低い録画モードＥＰに、画質モードを設定できるようにしても良い。
【００３６】
このようにして録画モードが初期設定された後、録画予約の録画開始時刻になって録画指示がされたことをシステムコントローラ１０が検知すると（ステップ１０）、システムコントローラ１０の第１の記録制御手段は、光ディスク記録再生部２を制御して、ディスク載置部３０１に載置されている光ディスク（最初の光ディスク）に対して番組の録画を行わせる（ステップＳ１１）。
【００３７】
そして、前記最初の光ディスクに番組が記録されてディスク容量がフルになったときに（ステップＳ１２）、システムコントローラ１０の第２の記録制御手段は、光ディスク記録再生部２を制御して、ロータリートレイ３０を回転させ、ディスク載置部３０２に載置されている光ディスクを所定位置（記録／再生位置）に設定し（ステップＳ１３）、ディスク載置部３０２に載置されている光ディスク（次の光ディスク）への番組の録画を行わせる（ステップ１４）。
【００３８】
そして、前記次の光ディスクに番組が記録されてディスク容量がフルになったときに（ステップＳ１５）、システムコントローラ１０の第２の記録制御手段は、光ディスク記録再生部２を制御して、ロータリートレイ３０を回転させ、ディスク載置部３０３に載置されている光ディスクを所定位置（記録／再生位置）に設定し（ステップＳ１３）、ディスク載置部３０３に載置されている光ディスクへの番組の録画を行わせる（ステップ１４）。
【００３９】
以下同様にして、ディスク載置部３０４に載置された光ディスク、ディスク載置部３０５に載置された光ディスクという順に番組が録画され、録画予約分の録画が終了すると、本処理は終える。なお、５枚の光ディスクの記録領域を全部使用しなくても、録画予約の番組を録画できた場合は、録画が終了した時点で本処理は終わることになる。
【００４０】
以上説明したように本実施形態によれば、録画予約されている総録画時間を、ロータリートレイに載置されている録画可能な複数の光ディスク全体の総空き容量を考慮して録画モードを設定することができ、また、長時間のテレビ番組を録画する場合でも、複数の光ディスクに連続して録画を行うことができる。したがって、録画モードによっては、録画予約の番組の後ろが録画しきれない状態になることを回避でき、ユーザは、光ディスクの空き容量（ディスク残量）によって、録画モードを考慮して設定する必要がなくなり、録画モードの設定操作の煩わしさがなくなる。
【産業上の利用可能性】
【００４１】
本発明は、複数の光ディスクを載置できるロータリートレイを有し、このロータリートレイを回転させて記録／再生位置に設定された光ディスク（ＤＶＤ）に対して情報の記録／再生を行うディスクチェンジャ−式の光ディスク装置（ディスクチェンジャー式ＤＶＤレコーダ）において、テレビ番組の録画予約の録画時間の長さに応じて録画モードを自動的に設定して、複数の光ディスク（ＤＶＤ）にテレビ番組を連続して録画できるようにする機能を付加することができる。
【図面の簡単な説明】
【００４２】
【図１】本発明の一実施形態に係るディスクチェンジャ−式の光ディスク装置の構成を示すブロック図である。
【図２】前記実施形態のディスクチェンジャー式の光ディスク装置における光ディスク記録再生部に備えられるディスクドライブ部の構成を示すブロック図である。
【図３】前記実施形態においてディスクチェンジャートレイの簡略化した平面図である。
【図４】前記実施形態において複数の光ディスクへの録画処理を説明するためのフローチャートである。
【符号の説明】
【００４３】
３    光ディスク
１０    システムコントローラ（総空き容量算出手段、総録画時間算出手段、録画モード設定手段、第１，第２，第３の記録制御手段、停止制御手段）
３０    ロータリートレイ
【図１】
2007294019.tif 000003
【図２】
2007294019.tif 000004
【図３】
2007294019.tif 000005
【図４】
2007294019.tif 000006